(57)【要約】      （修正有）【課題】ネットワーククライアントが接続しているアクセスポイントを切り替える際に、アクセスポイントとの接続情報を入力する手間を省略することができる情報処理装置及び情報処理方法を提供する。【解決手段】アクセスポイントとして動作する機能を備えた媒体に対して、機能設定を行う情報処理装置において、この機能の設定情報を保存してある設定保存部と、前記媒体以外のアクセスポイントに替えて、前記設定情報を用いて前記媒体をアクセスポイントとして動作させるコマンドを生成するコマンド生成部と、前記コマンドを前記媒体へ送信する送信部とを備え、前記コマンド生成部は、前記媒体をアクセスポイントとして動作させることを終了する場合には、前記媒体以外のアクセスポイントをアクセスポイントに復帰させるコマンドを生成し、前記送信部はこのコマンドを前記媒体以外のアクセスポイントへ送信する、情報処理装置。【選択図】図７
2015012501.tif 000002
【特許請求の範囲】
【請求項１】
アクセスポイントとして動作する機能を備えた媒体に対して、機能設定を行う情報処理装置において、
この機能の設定情報を保存してある設定保存部と、
前記媒体以外のアクセスポイントに替えて、前記設定情報を用いて前記媒体をアクセスポイントとして動作させるコマンドを生成するコマンド生成部と、
前記コマンドを前記媒体へ送信する送信部とを備え、
前記コマンド生成部は、前記媒体をアクセスポイントとして動作させることを終了する場合には、前記媒体以外のアクセスポイントをアクセスポイントに復帰させるコマンドを生成し、前記送信部はこのコマンドを前記媒体以外のアクセスポイントへ送信する、情報処理装置。
【請求項２】
前記コマンド生成部は、ＳＳＩＤを用いて前記媒体をアクセスポイントとして動作させる請求項１に記載の情報処理装置。
【請求項３】
前記設定情報は、アクセスポイントの識別子と暗号方式と暗号鍵とを含む請求項１に記載の情報処理装置。
【請求項４】
前記コマンド生成部は、前記媒体以外のアクセスポイントをアクセスポイントに復帰させるコマンドとしてホールド状態の解除のコマンドを生成する請求項１に記載の情報処理装置。
【請求項５】
アクセスポイントとして動作する機能を備えた媒体に対して、機能設定を行う情報処理装置における情報処理方法であって、
この機能の設定情報を保存する第一の工程と、
前記媒体以外のアクセスポイントに替えて、前記設定情報を用いて前記媒体をアクセスポイントとして動作させるコマンドを生成する第二の工程と、
前記コマンドを前記媒体へ送信する第三の工程とを含む情報処理方法。
【発明の詳細な説明】
【技術分野】
【０００１】
本発明の実施形態は、情報処理装置及び情報処理方法に関する。
【背景技術】
【０００２】
ＤＴＶ（デジタルテレビジョン受像装置）にＷＬＡＮ（ワイヤレス  ローカルエリアネットワーク）機能が標準搭載されるようになってきた。またデジタルカメラ向けにＳＤカード型のＷＬＡＮ＋メディア機能を持った媒体（機器）が商品化されている。
【０００３】
今までＤＴＶにおいてＷＬＡＮ機能を使う場合は、ＣＳＰ（コンテンツ  サービス  プロバイダ）との接続が主な使用方法であるため、宅外とのインターネット接続を行うためのアクセスポイントに接続するのが通常の使い方である。一方の媒体はアクセスポイント機能を持っており、ネットワーククライアントはすでに接続してあるアクセスポイントから媒体に切り替える必要があり、設定画面にてアクセスポイントとの接続情報（たとえば暗号化キー）をそのたびに入力する必要があった。
【０００４】
この課題を解決することへの要望があるが、かかる要望を実現するための手段は知られていない。
【先行技術文献】
【特許文献】
【０００５】
【特許文献１】特開２００５−３０３８２１号公報
【発明の概要】
【発明が解決しようとする課題】
【０００６】
本発明の実施の形態は、ネットワーククライアントが接続してあるアクセスポイント切り替える際に、アクセスポイントとの接続情報を入力する手間を省略することができる情報処理装置及び情報処理方法を提供することを目的とする。
【課題を解決するための手段】
【０００７】
上記課題を解決するために、実施形態によれば情報処理装置は、アクセスポイントとして動作する機能を備えた媒体に対して、機能設定を行う情報処理装置において、この機能の設定情報を保存してある設定保存部と、前記媒体以外のアクセスポイントに替えて、前記設定情報を用いて前記媒体をアクセスポイントとして動作させるコマンドを生成するコマンド生成部と、前記コマンドを前記媒体へ送信する送信部とを備え、前記コマンド生成部は、前記媒体をアクセスポイントとして動作させることを終了する場合には、前記媒体以外のアクセスポイントをアクセスポイントに復帰させるコマンドを生成し、前記送信部はこのコマンドを前記媒体以外のアクセスポイントへ送信する。
【図面の簡単な説明】
【０００８】
【図１】実施形態に係わる無線接続システムの概略図。
【図２】実施形態に係わる携帯型撮像装置の構成の一例を示すブロック図。
【図３】実施形態に係わる無線接続システムで用いられる、媒体に無線ＬＡＮ接続を設定する側の電子機器（ＴＶ）の構成の一例を示すブロック図。
【図４】実施形態に係わる無線接続システムで用いられる、電子機器（テレビ）５０などから無線ＬＡＮ接続を設定される側の媒体を中心とする機能ブロックを示す図。
【図５】実施形態に係わる無線接続システムで用いられる、電子機器（携帯型撮像装置）４０に対して無線ＬＡＮ接続を設定する側の電子機器（ＴＶ）の機能ブロックを示す図。
【図６】実施形態に係わる無線接続システムで用いられる設定準備動作を説明するフローチャート。
【図７】実施形態に係わる無線接続システムで用いられる設定動作を説明するフローチャート。
【発明を実施するための形態】
【０００９】
以下、一実施形態を図１乃至図７を参照して説明する。
図１は、実施形態に係わる無線接続システムの概略図である。
【００１０】
多数の端末間で通信を行う際のアーキテクチャにおいて、クライアント側から見た無線ＬＡＮの接続形態は、アクセスポイントの使用の有無で2つのモードに大別できる。アクセスポイントを使用するのがインフラストラクチャー・モードである。即ち無線ＬＡＮクライアントはアクセスポイントを介して通信を行う。
【００１１】
そこで、この実施形態においては、図１に示すように、まず電子機器（ＴＶ）５０は、アクセスポイント（ＡＰ）６０を介して、無線接続可能に構成されている。なお電子機器（ＴＶ）５０には、ＨＤＭＩ（登録商標）を通してレコーダ５０ＡとＵＳＢインタフェースを通してＵＳＢ  ｓｔｏｒａｇｅ５０Ｂとが接続されている。また電子機器（ＴＶ）５０は、アクセスポイント（ＡＰ）６０を介して、ＮＡＳ７０とも接続可能に構成されている。
【００１２】
電子機器（携帯型撮像装置）４０には媒体であるメモリカード１０５が装着されている。この媒体の例としてはＦｌａｓｈＡｉｒ（登録商標）がある。これは、ＳＤカードに無線ＬＡＮ機能を搭載したもので、ＳＤカードにアクセスポイント機能とＨＴＴＰサーバを搭載し、携帯型撮像装置で撮った、メモリカードに入っている写真をパソコン、スマートフォン、タブレット等は、本SDカードのアクセスポイントへ接続することで、Ｗｅｂブラウザから携帯機器上の写真を閲覧・保存できるものである。
【００１３】
電子機器（TV）はいわゆるインターネットにアクセスするためにはアクセスポイント（AP）６０に接続する必要があり、一方の無線LAN機能搭載SDカード４１をセットした電子機器（携帯型撮像装置）４０から写真を閲覧するためには、無線LANの接続先を変更する必要がある。
【００１４】
この切り替えについては、例えば表示画面上の「接続するアクセスポイントを選択してください」という操作プロンプトの下にAP-1,AP-2といった選択ボタンが並び、選択によってインターネットと無線LAN機能内蔵SDカードへのアクセスを切り替えることができる。あるいは、このような手間をなくし、通常は常にアクセスポイント６０に接続沿ておき、操作メニューより無線LAN機能内蔵SDカード４１の写真を再生、を選択すると、プログラム内部にて自動的にアクセスポイントを６０から４１に切り替えることが可能である。
【００１５】
図２は、実施形態に係わる携帯型撮像装置のブロック図である。なお、同図においては、携帯型撮像装置４０の主要な部分について示している。
このブロック図は、携帯型撮像装置４０の固体撮像素子で撮像された動画に基づくＣＣＤ（Charge-Coupled Devices）あるいはCMOS出力信号の処理系を主として示しており、各部の動作を制御する制御部１００と、メモリ回路１０１と、信号処理回路１０２と、圧縮伸長処理回路１０３と、ハードディスクドライブ１０４と、メモリカード１０５と、表示駆動部１０６と、ビデオデコーダ１０７と、ＵＳＢ端子１１０に接続されるＵＳＢコントローラ１１１と、液晶表示部１１７とを含む。
【００１６】
メモリ回路１０１は、制御部１００と各部との間に設けられるとともに制御部１００から出力されるデータ量の大なる信号を一時的に保持する。
信号処理回路１０２は、画像信号であるＣＣＤ出力信号に対して所定の信号処理を行う。
圧縮伸長処理回路１０３は、静止画、動画に応じてＣＣＤ出力信号に対する圧縮伸長処理を行う。本実施の形態の形態では、静止画についてはＪＰＥＧ（Joint Photographic Expert Group）規格に基づく圧縮伸長処理を行い、動画についてはＭＰＥＧ（Motion Picture Experts Group）規格に基づく圧縮伸長処理を行う。
【００１７】
ハードディスクドライブ１０４は、ＦＡＴ３２／NTFSなどのファイルシステムに基づいて記録される静止画、動画およびその他のデータを管理する記憶部である。
【００１８】
ビデオデコーダ１０７は、図示しない撮像素子で撮像された画像に基づくＣＣＤ出力信号をデコードして液晶表示部１１７の表示用に信号処理し、表示駆動部１０６に出力する。
【００１９】
ＵＳＢコントローラ１１１は、パーソナル・コンピュータ（ＰＣ）や他の電子機器と静止画あるいは動画のデータをＵＳＢ端子１１０を介して送受信する。
また、制御部１００は、録画スイッチ１１５が外部から押されることにより起動され、ハードディスクドライブ１０４又はメモリカード１０５に記録される動画ファイルのデータ量が例えば８ＧＢに近づくと、予め定めた条件に基づいて液晶表示部１１７の表示画面に表示される動画の撮影経過時刻を８ＧＢに達するまでの減算時間表示に切り替える動作を実行させる減算時間管理部１００Ａを有している。
【００２０】
ＣＣＤ出力信号は、図示しないＡ／Ｄ変換部でデジタル信号に変換されてカメラ信号処理回路１０２に入力し、所定の信号処理を施された後に圧縮伸長処理回路１０３で圧縮処理を施され、メモリ回路１０１を介してハードディスクドライブ１０４又はメモリカード１０５に記録される。このとき、撮影される画像は、ビデオデコーダ１０７を介し、表示駆動部１０６を経て液晶表示部１１７に表示される。
【００２１】
また、再生時は、ハードディスクドライブ１０４又はメモリカード１０５から読み出された画像がメモリ回路１０１を介して圧縮伸長処理回路１０３に入力し、伸長処理を施された後にメモリ回路１０１を介してビデオデコーダ１０７に出力され、表示駆動部１０６を経て液晶表示部１１７に表示される。
【００２２】
ハードディスクドライブ１０４又はメモリカード１０５に記録された静止画または動画を外部機器に転送、あるいは外部機器から受信するときは、ＵＳＢコントローラ１１１を介してＵＳＢ端子１１０から送受信する。
【００２３】
図３は、実施形態に係わる無線接続システムで用いられる、媒体に無線ＬＡＮ接続を設定する側の情報処理装置である電子機器（ＴＶ）の構成の一例を示すブロック図である。
【００２４】
この実施形態においては、制御部１１はＣＰＵ（１２）を備えている。ＣＰＵ（１２）は電子機器（テレビ）５０を制御する。
また、ＲＡＭ（１３）、ＲＯＭ（１４）、フラッシュメモリ１５は、例えば、制御部１１で行われる処理に利用される。
また、フラッシュメモリ１５は、このシステムに設定される機器の情報や予め設定されるユーザの情報を記憶することも可能である。
そして、例えば、放送局２５からデジタル放送で映像コンテンツが放送される。放送局２５から放送されたデジタル放送はチューナ３で受信され、選局処理が行われ、デジタル信号の映像コンテンツが信号処理部４に送信される。
【００２５】
信号処理部４で受信されたデジタル信号の映像コンテンツは信号処理が施され、音声処理部６および映像処理部５に送信される。
音声処理部６は、信号処理が施された映像コンテンツを受信し、音声処理を施した信号をスピーカ９に送信する。
スピーカ９は、音声処理が施された信号を受信し、音声を出力する。
また、映像処理部５は、信号処理が施された映像コンテンツを受信し、映像処理を施した信号を表示装置７に送信する。
表示装置７は、映像処理が施された信号を受信し、ＬＣＤパネル等で構成される表示画面（映像表示部）８に映像を表示する。
また、この実施の形態においては、電子機器（テレビ）５０は、上記のようにＵＳＢ接続やＬＡＮ接続される外部記憶機器１９を備えている。上記受信された映像コンテンツはこの外部記憶機器１９に記録することも可能である。
【００２６】
また、この実施の形態においては、電子機器（テレビ）５０は内部記憶装置１７を備えている。この内部記憶装置１７は、上記外部記録機器１９と同様に、受信した放送番組を丸録りし、タイムシフト再生することが可能である。
【００２７】
また、上記のように、電子機器（テレビ）５０に対するユーザの操作は、例えばリモコン（リモートコントローラ）２１等の操作機器によって指示される。
これらの処理は、上記のように、制御部１１に制御される。
図４は、実施形態に係わる無線接続システムで用いられる、電子機器（テレビ）５０などから無線ＬＡＮ接続を設定される側の電子機器（携帯型撮像装置）４０のメモリカード１０５を中心とする機能ブロックを示す図である。
【００２８】
この実施形態においては、メモリカード１０５は、図４に示すように電子機器（携帯型撮像装置）４０の電源等のリソースの供給の下に、ＷＬＡＮ制御部４１、送受信部４２、記憶部４３、ＷＰＳ処理部４４、ＷＬＡＮアクセスポイント部４５、ＷＬＡＮクライアント部４６、コマンド解析部４７、ＷＬＡＮ設定保存部４８を構成する。
【００２９】
送受信部４２はデータの送受信を行う。記憶部４３は写真や動画を保持する。ＷＰＳ処理部４４はWPS(Wi-Fi Protected Setup（登録商標）)の処理を実施する。ＷＬＡＮアクセスポイント部４５はＷＬＡＮのアクセスポイントとして動作し、またＷＬＡＮクライアント部４６はＷＬＡＮのクライアントとして動作する。
【００３０】
コマンド解析部４７は送受信部４２より受信したコマンドを解析し、ＷＬＡＮの設定情報を取得する。ＷＬＡＮ制御部４１は、無線ＬＡＮの処理を行いアクセスポイントとクライアントの動作を切り替える。取得したＷＬＡＮの設定情報をＷＬＡＮ設定保存部４８に記憶し、ＷＬＡＮクライアント部４６を介してアクセスポイントに接続する。ＷＬＡＮ設定保存部４８はアクセスポイントへの接続に関する情報を保持する。
【００３１】
図５は、実施形態に係わる無線接続システムで用いられる、電子機器（携帯型撮像装置）４０に対して無線ＬＡＮ接続を設定する側の電子機器（ＴＶ）５０の機能ブロックを示す図である。
【００３２】
この実施形態においては、電子機器（ＴＶ）５０は、図５に示すように、表示部５１、ＷＬＡＮ処理部５２、送受信部５３、記憶部５４、コマンド生成部５５、ＷＬＡＮ設定部５６、無線LAN設定保存部６２、を構成する。
【００３３】
表示部５１は設定される側への接続やＷＬＡＮの設定に関するUIを表示する。例えば、電子機器（ＴＶ）５０と接続可能な電子機器（デバイス）をスキャンした結果が表示される。ＷＬＡＮ処理部５２は無線LANクライアントとして動作する。送受信部５３はデータを送受信する。
【００３４】
記憶部５４はUIを保持する。コマンド生成部５５は、設定される側に無線LANのアクセスポイントへの接続情報に関するコマンドを生成する。
ＷＬＡＮ設定部５６は無線LANの設定がない場合に、ユーザにＷＬＡＮ設定を実施してもらうための処理をUIを通して行う。６２は無線LANの設定を保存する。
【００３５】
無線LAN設定保存部６２は、無線ＬＡＮで接続するために必要となる、ＳＳＩＤとＫＥＹ（鍵、Ｎｅｔｗｏｒｋ  ｋｅｙ）を保持する。
ここで、ＳＳＩＤとは、Ｓｅｒｖｉｃｅ  Ｓｅｔ  Ｉｄｅｎｔｉｆｉｅｒの略である。例えば、ＩＥＥＥ  ８０２．１１シリーズの無線ＬＡＮにおけるアクセスポイントの識別子である。例えば、混信を避けるために付けられる名前で、最大３２文字までの英数字を任意に設定することが可能である。例えばアクセスポイント（ＡＰ）６０のＳＳＩＤは「ＨＯＭＥＧＡＴＥ」である。
【００３６】
また、複数のアクセスポイントを設置したネットワークを考慮してネットワーク識別子に拡張したものをＥＳＳＩＤという。なお、ＥＳＳＩＤの意味でＳＳＩＤと呼ばれることもある。
【００３７】
図６は、実施形態に係わる無線接続システムで用いられる設定準備動作を説明するフローチャートである。電子機器（ＴＶ）５０は、例えば電源オンの後に一度このルーチンを実行すればよい。従来ＴＶがＷＬＡＮ機能を使用中に媒体機器を接続する場合、ユーザの指示により、ＷＬＡＮのアクセスポイントから一旦切断し、媒体に切り換える必要があった。
【００３８】
以下、図７にかけてＴＶは宅外との接続用アクセスポイントＡと媒体のアクセスのための情報を登録し、かつ媒体への接続が選択された場合に、自動的にアクセス先を切り替える仕組みとした。またアクセスポイントＡとの接続を行っているアプリケーションに対してＴＶは、応答待ちにするため、例えば、アプリケーションにおいて、ｈｏｌｄという状態を作り、ここに来た場合は、外部ネットワークへのアクセスを一時的に中断し、あたかもネットワークからのデータの受信を待っている状態にする工夫をした。
【００３９】
ステップＳ６１：  ＷＬＡＮ設定部５６はＷＬＡＮを起動する。
ステップＳ６２：  媒体（メモリカード１０５）が登録されているかＷＬＡＮ設定部５６は無線LAN設定保存部６２を参照して判定し、登録されている場合は次のステップに進み登録されていない場合は処理を終了する。
【００４０】
ステップＳ６３：  ＷＬＡＮ設定部５６は媒体メニューをアクティブにする。このメニューは例えば、リモコン２１の図示せぬクイックボタン等の操作により表示画面８に表示されるクイックメニュー一覧中に置かれればよい。ユーザの操作としては、このメニューの媒体メニューをリモコン２１の図示せぬ決定ボタン等によって指示する（図７参照）といった構成をＴＶは採ればよい。
【００４１】
図７は、実施形態に係わる無線接続システムで用いられる設定動作を説明するフローチャートである。ＴＶが媒体からＪＰＥＧファイルをすべてダウンロードするケースである（媒体をセットしたデジタルカメラから写真をダウンロード）。予めＴＶは、宅外とのＡＰと媒体のアクセス情報を登録しておき、媒体への接続が選択されると、アクセス先を切り換えると共に、ＡＰとの接続を行っているアプリケーションは、応答待ち状態にするため、ソケットレーヤーをｈｏｌｄに設定する。
【００４２】
ステップＳ７１：  ユーザが媒体メニューをリモコン２１によって指示する操作をすると、ＷＬＡＮ設定部５６は媒体接続を選択する。
ステップＳ７２：  ＷＬＡＮ設定部５６は現在の接続をｈｏｌｄ（ホールド）状態にする。アプリケーションソフトで下位のソケットレーヤーをｈｏｌｄ状態にするが、これは次のような状態を意味している。現在のアクセスポイントに対しては外部へのアクセスのためにＷＬＡＮ処理部５２はＵＲＬを出し応答を得ているが、この応答が戻らなくともＷＬＡＮ処理部５２はエラーにせず、応答待ち状態にするため、ＷＬＡＮ設定部５６は完全な切断は行わない。
【００４３】
ステップＳ７３：  ＷＬＡＮ設定部５６は現在のアクセスポイントＡ（アクセスポイント（ＡＰ）６０）との接続を切断する。
ステップＳ７４：  次にコマンド生成部５５は、媒体メモリカード１０５をアクセスポイント（ＡＰ）６０へ接続させるシーケンスを開始する。コマンド生成部５５がＬＡＮへスキャンをかけるとＬＡＮの各チャンネルのアクセスポイントから応答が戻ってくる。ここでコマンド生成部５５は目的とする媒体を発見したか判定する。
【００４４】
ステップＳ７５：  ステップＳ７４で目的とする媒体をコマンド生成部５５が発見したと判定された場合はＷＬＡＮ処理部５２はアクセスポイントを媒体に切り変える。
【００４５】
一般的には、目的とする媒体に接続するため鍵を入力するようプロンプトがＴＶ画面に表示されていて、ユーザは把握している鍵を入力する。すると電子機器（テレビ）５０はこの媒体に接続し、アクセスポイントの設定情報（ＳＳＩＤ、暗号方式、暗号鍵）をコマンドする。この暗号方式は、例えばWPA2-PSK/AESといったものである。
【００４６】
しかしながらここでは、媒体メニューにリンクされたものとして、宅外との接続用アクセスポイントＡと媒体のアクセスのための情報（上記設定情報）を組にしてＷＬＡＮ設定部５６によりステップＳ６３で登録されている。よってこの設定情報をこの時点でユーザが入力することなくＷＬＡＮ処理部５２はアクセスポイントを媒体に切り変えることができる。
【００４７】
ステップＳ７６：  メモリカード１０５から電子機器（テレビ）５０への写真のダウンロードが行われる。
ステップＳ７７：  ステップＳ７４で目的とする媒体をコマンド生成部５５が発見したと判定されなかった場合またはステップＳ７６が終了した場合には、ＷＬＡＮ処理部５２はアクセスポイントＡへ接続先を戻す。
【００４８】
ステップＳ７８：  ＷＬＡＮ処理部５２はｈｏｌｄ状態を解除する。
以上のようにＴＶは媒体（ダウンロード）メニューを作り、ユーザがこれを選択すると、以下のステップが自動実行される。
（１）ＴＶはＡＰを媒体に切り替える。
（２）ＴＶはｈｔｔｐ等で媒体に接続し、ＳＤカードのルートに置かれているＤＣＩＭ（デジタルカメラで用いられるＤＣＦ（design rule for camera file system）フォーマットに準拠しているもの）フォルダーからＪＰＥＧファイルをすべてダウンロードする。
【００４９】
（３）ＴＶはＡＰを元の設定に戻す。
これらの一連の処理がまとめて行われ、ＴＶはＡＰ切り替えをユーザに意識させない。
以上、ＷＬＡＮ機能を搭載したＣＥ（コンシューマ・エレクトロニクス）機器（ＴＶ）から媒体に対して接続する設定および接続方法について説明した。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００５０】
４０…第１の電子機器（携帯型撮像装置）、５０…第２の電子機器（ＴＶ）、６０…アクセスポイント（ＡＰ）、１００…制御部、１００Ａ…減算時間管理部、１０１…メモリ回路、１０２…信号処理回路、１０３…圧縮伸長処理回路、１０４…ハードディスクドライブ、１０５…メモリカード、１０６…表示駆動部、１０７…ビデオデコーダ、１１０…ＵＳＢ端子、１１１…ＵＳＢコントローラ、１１５…録画スイッチ、１１７…液晶表示部、１７０…表示画面、１７１…動画マーク、１７２…動画撮影可能時間表示、１７３…動画撮影マーク、１７４…撮影経過時間表示、１７５…バッテリー残量表示、１７６…ズームバー、１７７…操作ガイド、１７８…減算時間表示。
【図１】
2015012501.tif 000003
【図２】
2015012501.tif 000004
【図３】
2015012501.tif 000005
【図４】
2015012501.tif 000006
【図５】
2015012501.tif 000007
【図６】
2015012501.tif 000008
【図７】
2015012501.tif 000009